(57)【要約】  【課題】  衝撃吸収性および通気性に優れる畳を提供する。  【解決手段】  畳床２０と、畳床２０の表面を覆う畳表１０とを有する畳１であって、畳床２０は、弾性を有するクッション層２１を備えており、表裏面を貫通する貫通孔３０が複数形成されている。貫通孔３０の内周面には、弾性変形可能な保護パイプ３２が装着されていることが好ましい。【選択図】  図４
2017089334.tif 000002
【特許請求の範囲】
【請求項１】
畳床と、前記畳床の表面を覆う畳表とを有する畳であって、
前記畳床は、弾性を有するクッション層を備えており、表裏面を貫通する貫通孔が複数形成されている畳。
【請求項２】
前記貫通孔の内周面には、弾性変形可能な保護パイプが装着されている請求項１に記載の畳。
【請求項３】
前記保護パイプは、前記各貫通孔にそれぞれ挿入可能となるように、複数が基板に一体的に支持されている請求項２に記載の畳。
【請求項４】
前記保護パイプは、前記貫通孔の内周面に保護膜を塗布することにより形成される請求項２に記載の畳。
【発明の詳細な説明】
【技術分野】
【０００１】
本発明は、柔道用や家庭用等に使用される畳に関する。
【背景技術】
【０００２】
柔道用畳は、足の沈み込みを防止するため適度な剛性が要求されると共に、投げ技等により身体が受ける衝撃を緩和するため衝撃吸収性に優れることが望まれており、これらの両立を図る構成が従来から検討されている。
【０００３】
例えば、特許文献１には、弾性フォームで形成された中間層を有する柔道用畳において、中間層の上面側または下面側に隣接する層との間に空隙を形成することにより、衝撃力を緩和させる構成が開示されている。
【先行技術文献】
【特許文献】
【０００４】
【特許文献１】特開２０１３−１２４４８９号公報
【発明の概要】
【発明が解決しようとする課題】
【０００５】
上記特許文献１に開示された柔道用畳は、空隙が有底の凹部によって形成されているため、中間層に荷重が作用した時に凹部が変形し難く、衝撃を十分に緩和し難いという問題があった。また、柔道用畳の下面側に湿気がこもり易く、カビ等が発生し易いという問題もあった。
【０００６】
そこで、本発明は、衝撃吸収性および通気性に優れる畳の提供を目的とする。
【課題を解決するための手段】
【０００７】
本発明の前記目的は、畳床と、前記畳床の表面を覆う畳表とを有する畳であって、前記畳床は、弾性を有するクッション層を備えており、表裏面を貫通する貫通孔が複数形成されている畳により達成される。
【０００８】
この畳において、前記貫通孔の内周面には、弾性変形可能な保護パイプが装着されていることが好ましい。
【０００９】
また、前記保護パイプは、前記各貫通孔にそれぞれ挿入可能となるように、複数が基板に一体的に支持されていることが好ましい。或いは、前記保護パイプは、前記貫通孔の内周面に保護膜を塗布することにより形成されることが好ましい。
【発明の効果】
【００１０】
本発明によれば、衝撃吸収性および通気性に優れる畳を提供することができる。
【図面の簡単な説明】
【００１１】
【図１】本発明の一実施形態に係る畳の断面図である。
【図２】図１に示す畳の要部斜視図である。
【図３】本発明の他の実施形態に係る畳の断面図である。
【図４】本発明の更に他の実施形態に係る畳の断面図である。
【図５】本発明の更に他の実施形態に係る畳を分解した状態で示す断面図である。
【図６】衝撃試験結果を示す図である。
【発明を実施するための形態】
【００１２】
以下、本発明の実施の形態について、添付図面を参照して説明する。図１は、本発明の一実施形態に係る畳の断面図であり、図２は、図１に示す畳の畳床を示す斜視図である。図１および図２に示すように、畳１は、畳表１０および畳床２０を備えており、畳床２０の表面が畳表１０により覆われている。
【００１３】
畳表１０は、い草、和紙、樹脂、レザー等からなり、畳床２０の表面に対して接着や縫着等により密着されている。畳表１０は、畳床２０に密着させずに巻き付けて、取り替え可能に構成することもできる。畳表１０は、十分な通気性を有することが好ましいが、通気性がない材料から構成することもできる。
【００１４】
畳床２０は、弾性を有するクッション層２１の表裏面に、インシュレーションボード２２，２３がそれぞれ接着または縫着されて構成されている。クッション層２１は、高弾性であると共に適度な硬度を有することが好ましく、例えば、ポリスチレンフォーム、ポリプロピレンフォーム、ポリウレタンフォーム、ポリエチレンフォーム等の発泡樹脂や発泡ゴム、立体網状体等から形成することができる。畳床２０は、インシュレーションボード２２，２３を設けずにクッション層２１のみから構成することも可能であり、或いは、クッション層２１を、弾性や高度が異なる種々の層（例えば、紙材や不織布等）と組み合わせた多層構造であってもよい。畳床２０の厚みは特に限定されないが、例えば、７〜６０ｍｍ程度であることが好ましい。畳床２０の表面には、保護シート等を設けてもよい。
【００１５】
畳床２０には、複数の貫通孔３０がマトリクス状に配置されている。貫通孔３０は、全体にわたって均一に配置されていることが好ましいが、ランダムに配置されていてもよい。貫通孔３０は、足指が入らない程度の小さな内径（例えば、８ｍｍ程度）を有しており、畳床２０の表裏面を貫通するように形成されている。
【００１６】
上記の構成を有する畳１は、畳床２０の表裏面を貫通する貫通孔３０を有することにより、畳床２０に荷重が作用した時に、貫通孔３０が畳床２０の厚み方向全体において変形し、衝撃を緩和する。したがって、クッション層２３は、上下方向の圧縮変形に加えて、水平方向にも変形容易となるため、従来に比べて衝撃吸収性を高めることができる。更に、衝撃を吸収することによって、遮音性や吸音性を向上させることができる。
【００１７】
また、畳床２０に形成された貫通孔３０により、畳１の上下方向に十分な通気性が得られるため、畳１の下方の湿気を上方に放出して、カビ等の発生を抑制することができる。
【００１８】
以上、本発明の一実施形態について詳述したが、本発明の具体的な態様は上記実施形態に限定されない。例えば、図３に示すように、各貫通孔３０の下部同士を繋ぐように、畳床２０の下面に溝部３１を格子状に形成することで、畳１を載置した床面と貫通孔３０との間に空間を確保できるため、畳１の通気性をより確実に得ることができる。畳床２０の下方には、上記空間を確保するために、格子状やスノコ状の板材を一体または別体に配置してもよい。
【００１９】
また、図４に示すように、畳床２０の貫通孔３０に、弾性変形可能な保護パイプ３２を装着した構成にしてもよい。保護パイプ３２は、樹脂やゴム等の弾性材料からなる円筒等の筒状体であり、外周面が貫通孔３０の内周面に密着する。このような保護パイプ３２を設けることで、畳床２０が衝撃を受けて貫通孔３０が変形した後、保護パイプ３２の弾性復元力によって、貫通孔３０の形状を元の状態に確実に戻すことができるため、良好な衝撃吸収性を長期間維持することができる。クッション層２１およびインシュレーションボード２２，２３が通気性・吸湿性を有する場合には、保護パイプ３２の壁面に複数の連通孔を形成してもよく、クッション層２１に含まれる湿気を、保護パイプ３２を介して外部に排出することができる。
【００２０】
保護パイプ３２は、貫通孔３０に筒状体を挿入する代わりに、貫通孔３０の内周面の一部または全体に、弾性塗料（例えば、アクリルゴム系やアクリルシリコン系）等からなる保護膜を塗布して形成することも可能である。この構成によれば、貫通孔３０への保護パイプ３２の装着を、貫通孔３０の大きさに拘わらず容易に行うことができる。
【００２１】
また、保護パイプ３２を貫通孔３０に個別に装着する代わりに、図５に示すように、複数の保護パイプ３２が一体的に支持された基板４０を使用してもよく、各貫通孔３０に対して複数の保護パイプ３２を同時に挿入することで、製造を容易にすることができる。このような保護パイプ３２は、例えば、樹脂からなる基板４０に複数の筒状隆起部を一体成形して形成することができる。
【００２２】
本発明の効果を確認するため、図１に示す構成のサンプル品を実施例として、地方独立行政法人大阪府立産業技術総合研究所において衝撃試験を行った。サンプル品は、縦２００ｍｍ、横２００ｍｍのものを使用した。畳床２０を構成する上側のインシュレーションボード２２の厚みは１５ｍｍ、下側のインシュレーションボード２３の厚みは１０ｍｍとし、クッション層２１は厚みが２５ｍｍのポリスチレンフォームにより形成した。貫通孔３０の内径は８ｍｍとし、隣接する貫通孔３０の中心間距離を４０ｍｍとした。硬質の床面に載置した状態で、１ｍ上方から２０ｋｇの錘を落下させたときの衝撃の大きさを測定したところ、図６に示すように、ピーク加速度は６９９ｍ／ｓ２であった。
【００２３】
一方、比較例として、貫通孔３０を有しない他は上記の実施例と同じサンプル品を用いて、実施例と同じ条件で衝撃の大きさを測定したところ、ピーク加速度は８３６ｍ／ｓ２であり、実施例に比べて衝撃吸収性に劣る結果であった。
【００２４】
本発明の畳は、衝撃吸収性に優れることから、柔道用として特に好適に使用することができるが、必ずしもこの用途に限定されるものではなく、一般家庭用など他の用途の畳としても好ましく使用することができる。
【符号の説明】
【００２５】
１  畳
１０  畳表
２０  畳床
２１  クッション層
３０  貫通孔
３２  保護パイプ
４０  基板
【図１】
2017089334.tif 000003
【図２】
2017089334.tif 000004
【図３】
2017089334.tif 000005
【図４】
2017089334.tif 000006
【図５】
2017089334.tif 000007
【図６】
2017089334.tif 000008